(57)【要約】【課題】表現された絵柄を視認したユーザに立体感を与えることが可能な意匠性を有するインクジェットプリント物を提供する。【解決手段】インクジェットプリント物は、基材と、複数のインクドットを含む。基材は、吸放湿性を有する。複数のインクドットは、基材の表面に表現された絵柄を形成し、基材の表面の一部領域に形成される。複数のインクドットにより基材の表面に表現された絵柄は、明度が連続的に変化するグラデーションを含む。グラデーションは、Ｌ＊ａ＊ｂ＊表色系における明度Ｌ＊の最高値と最低値との明度差ΔＬ＊が８〜１２の範囲に設定されている。【選択図】図１
2014226822.tif 000002
【特許請求の範囲】
【請求項１】
吸放湿性を有する基材と、
前記基材の表面に表現された絵柄を形成し、前記基材の表面の一部領域に形成される複数のインクドットと、を含み、
前記複数のインクドットにより前記基材の表面に表現された絵柄は、明度が連続的に変化するグラデーションを含み、
前記グラデーションは、Ｌ＊ａ＊ｂ＊表色系における明度Ｌ＊の最高値と最低値との明度差ΔＬ＊が８〜１２の範囲に設定されている、インクジェットプリント物。
【請求項２】
前記グラデーションは、前記基材の表面のＬ＊ａ＊ｂ＊表色系における明度Ｌ＊を前記最も高い明度Ｌ＊として形成される、請求項１に記載のインクジェットプリント物。
【発明の詳細な説明】
【技術分野】
【０００１】
本発明は、吸放湿性を有する基材の表面に絵柄が表現されたインクジェットプリント物に関する。
【背景技術】
【０００２】
吸放湿性を有する部材に関する技術が提案されている。例えば、特許文献１には、湿気の吸放湿量、透湿性に優れ、かつ建材として使用できる十分な強度を備えると共に、意匠性にも優れた不燃性の調湿建材が開示されている。この調湿建材は、炭酸硬化反応によって製造された成形体であって、主成分が炭酸カルシウムと非晶質シリカである成形体からなる。調湿建材は、窒素ガス吸着法によるその比表面積が８０〜２５０ｍ２／ｇ、平均細孔直径が１．５〜３０．０ｎｍであり、かつ、顔料が添加された着色部を有する。着色部には平均粒径２．０μｍ以下の顔料が着色部の総重量に対して２．０重量％以下含まれている。調湿建材の製造では、主成分が珪酸カルシウム水和物の粉末１００重量部に対し、平均粒径２．０μｍ以下の顔料２．４重量部以下が混合された湿潤粉体がプレス成形され、炭酸ガス雰囲気で養生され硬化される。色彩がＬ＊Ｃ＊ｈ表色系でＬ＊が６０以上の明度を有する珪酸カルシウム水和物の粉末が使用される。また、特許文献２には、意匠性建材の製造方法が開示されている。
【０００３】
更に、出願人も、特許文献３において調湿建材及びその記録方法を提案している。特許文献３には、調湿建材を形成する基材に関し、次のような記載がされている。即ち、基材としては、室内の湿度が高くなると湿気を吸収して湿度を下げるように作用し、室内が乾燥して湿度が低くなると湿気を放出して湿度を上げるように作用する吸放湿機能を有する無機粉体を含む成形体が画像記録を行う上で好ましく、無機粉体としては、ケイ酸質粉体、シリカゲル、珪藻土、活性白土、ゼオライト、ベントナイト、モンモリロナイト、セピオライト等が挙げられる、ことが記載されている。また、こうした無機粉体は、１〜数十ナノメートルのサイズの微小な細孔が表面全体に多数形成されており、細孔内に空気中の水分子を取り込んだり、細孔内から水分子を空気中に放出することで吸放湿作用が行われる、ことが記載されている。
【０００４】
この他、特許文献４には、調湿壁紙が開示されている。この調湿壁紙は、吸放湿層と、吸放湿層を挟んだ表面シートと裏面シートの三層構造からなる。吸放湿層は、主として吸放湿性繊維と熱融着性繊維からなる。吸放湿層中の熱融着性繊維の含有率は、１０〜７０重量％である。表面シートは、透湿性又は通気性を有する。この調湿壁紙では、表面シートの表面に更に透湿性又は通気性を有する化粧用シートを積層してもよい。
【先行技術文献】
【特許文献】
【０００５】
【特許文献１】特開２００２−２９８０４号公報
【特許文献２】特開２００４−３０５８３４号公報
【特許文献３】特開２０１１−２６８７１号公報
【特許文献４】特開２００５−２２０４４９号公報
【発明の概要】
【発明が解決しようとする課題】
【０００６】
インクジェット記録装置によれば、高品質の絵柄を基材の表面に表現することができる。インクジェット記録装置によって表面に絵柄が表現されたインクジェットプリント物に吸放湿性を付与する場合、吸放湿性は、例えば、インクジェットプリント物を形成する基材に吸放湿性を有する部材を使用することによって実現される。発明者は、高品質な絵柄により好適な意匠性を実現可能なインクジェットプリント物において、更に、表面に表現された絵柄に立体感を強調することができれば、吸放湿性を有する公知のインクジェットプリント物と差別化することができると考えた。そこで、発明者は、吸放湿性を有するインクジェットプリント物の表面に表現された絵柄において、立体感を表現可能な技術について検討を行った。
【０００７】
本発明は、表現された絵柄を視認したユーザに立体感を与えることが可能な意匠性を有するインクジェットプリント物を提供することを目的とする。
【課題を解決するための手段】
【０００８】
本発明の一側面は、吸放湿性を有する基材と、前記基材の表面に表現された絵柄を形成し、前記基材の表面の一部領域に形成される複数のインクドットと、を含み、前記複数のインクドットにより前記基材の表面に表現された絵柄は、明度が連続的に変化するグラデーションを含み、前記グラデーションは、Ｌ＊ａ＊ｂ＊表色系における明度Ｌ＊の最高値と最低値との明度差ΔＬ＊が８〜１２の範囲に設定されている、インクジェットプリント物である。
【０００９】
これによれば、インクジェットプリント物の表面に好適な立体感を有する絵柄を表現することができる。基材の表面の一部領域にインクドットを形成することにより、インクジェットプリント物の表面に基材の地肌面が露出した領域を確保することが可能となり、インクジェットプリント物における吸放湿性を維持することができる。「基材の表面」は、基材の地肌面である。
【００１０】
このインクジェットプリント物において、前記グラデーションは、前記基材の表面のＬ＊ａ＊ｂ＊表色系における明度Ｌ＊を前記最も高い明度Ｌ＊として形成される、ようにしてもよい。これによれば、基材の地肌面を利用してグラデーションを形成し、立体感を有する絵柄を表現することができる。グラデーションにおいて最も高い明度Ｌ＊となる領域で吸放湿性を維持することができる。
【発明の効果】
【００１１】
本発明によれば、表現された絵柄を視認したユーザに立体感を与えることが可能な意匠性を有するインクジェットプリント物を得ることができる。
【図面の簡単な説明】
【００１２】
【図１】表面にグラデーションを含む絵柄が表現されたインクジェットプリント物の一例を示す正面図である。
【図２】絵柄に含まれるグラデーションを形成するインクドットの基材表面での状態を示す概略図であり、図１に示すＳ−Ｓ線に対応した位置でインクジェットプリント物を断面した断面図である。
【図３】インクジェット記録装置の概略構成を示す斜視図である。
【図４】基材及びインクジェットプリント物の吸湿性及び放湿性の評価結果を示す図である。
【発明を実施するための形態】
【００１３】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１４】
＜インクジェットプリント物＞
吸放湿性を有するインクジェットプリント物１０について、図１及び図２を参照して説明する。インクジェットプリント物１０は、図１に示すように、表面に絵柄が表現された吸放湿性を有する印刷物である。インクジェットプリント物１０は、意匠性が要求される各種の製品を形成する部材である。例えば、インクジェットプリント物１０は、車両若しくは建築物等の内装材又は壁紙である。また、インクジェットプリント物１０は、ロールカーテンにおけるスクリーン又はパーティション若しくは家具等を形成するボードといった各種のインテリアを形成する部材である。
【００１５】
インクジェットプリント物１０は、図２に示すように、基材１２と、複数のインクドット１４を含む。基材１２は、吸放湿性を有する。インクジェットプリント物１０によって形成される各種の部材おける吸放湿性は、基材１２が有する吸放湿性によって実現される。基材１２の表面には、微小な細孔が多数形成されている。インクドット１４が形成される基材１２の表面は、基材１２の地肌面である。基材１２の表面（地肌面）は、所定の色の無地（例えば、白色系又はベージュ色系）である。基材１２の表面の色は、諸条件を考慮し、適宜決定される。基材１２における吸湿性は、多数の微小な細孔に水分子を吸収することで実現される。基材１２は、基材１２（インクジェットプリント物１０として形成された場合を含む）が存在している空間の湿度が高くなると、細孔に水分子を吸収する。水分子の吸収により前述した空間の湿度は、低下する。一方、基材１２は、前述した空間が乾燥し湿度が低くなると、細孔から水分子を放出する。水分子の放出により前述した空間の湿度は、上昇する。基材１２は、上述したような各種の製品であるインクジェットプリント物１０に応じた吸放湿性を有する公知の素材によって形成される。例えば、インクジェットプリント物１０が上述したような内装材である場合、基材１２は、例えば、特許文献３に示されるような、微小な細孔が多数形成された無機粉体を含む成形体により形成される。
【００１６】
インクドット１４は、例えば、所定の色の微小なインク滴が基材１２の表面に着弾して形成される。微小なインク滴の吐出は、インクジェット記録装置２０を用いて行われる。インクジェット記録装置２０で実行される記録方法の概略については、後述する。複数のインクドット１４により基材１２の表面に表現された絵柄は、明度が連続的に変化するグラデーションを含む（図１参照）。図１に示す領域Ｒ１は、このグラデーションが形成された領域の一部である。
【００１７】
グラデーションは、Ｌ＊ａ＊ｂ＊表色系における明度Ｌ＊の最高値（以下、「最高明度Ｌ＊」という）と最低値（以下、「最低明度Ｌ＊」という）の明度差ΔＬ＊が８以上の範囲、より好ましくは８〜１２の範囲に設定される。発明者は、以下に示す評価結果を含む多くの検討により、このような明度差ΔＬ＊の範囲を取得した。Ｌ＊ａ＊ｂ＊表色系は、国際照明委員会で規格化（ＣＩＥ  １９７６）され、ＪＩＳにおいても規定（ＪＩＳ  Ｚ  ８７２９：２００４）された色の表示方法である。従って、前述した明度差ΔＬ＊は、Ｌ＊ａ＊ｂ＊表色系に基づいた最高明度Ｌ＊と最低明度Ｌ＊の差（最高明度Ｌ＊−最低明度Ｌ＊）として特定される。インクジェットプリント物１０では、基材１２の表面（地肌面）の明度Ｌ＊がグラデーションにおける最高明度Ｌ＊として設定される。従って、グラデーションは、基材１２の表面の明度Ｌ＊を最高明度Ｌ＊として形成される。そのため、複数のインクドット１４は、基材１２の表面の一部領域に形成される。換言すれば、インクジェットプリント物１０は、基材１２の表面に絵柄が表現され、加飾された完成状態において、基材１２の表面が露出した領域（図２において「隣り合う所定のインクドット１４の間の領域」参照）を含む。
【００１８】
明度の連続的変化は、基材１２の表面に形成される複数のインクドット１４の粗密及び／又はインク色の濃淡により実現される。例えば、単位面積当たりのインクドット１４の数を増加させ、インクドット１４を密に形成することで、明度を低下させることができる（図２参照）。また、インクドット１４を形成するインク滴を濃色インクとすることで、明度を低下させることができる。
【００１９】
＜記録方法＞
記録方法について、図３を参照して説明する。記録方法は、基材１２の表面に図１に例示するような絵柄を表現し、この絵柄によって加飾されたインクジェットプリント物１０を製造する製造方法である。記録方法は、上述した通り、インクジェット記録装置２０によって実行される。インクジェット記録装置２０は、図３に示すように、搬送部２２と、記録部２４を備える。搬送部２２は、コンベア等により構成され、基材１２を所定の方向に搬送する（図３に示す「搬送方向」参照）。
【００２０】
記録部２４は、基材１２の表面に絵柄を記録する。記録部２４は、絵柄に対応した色用のインクジェットヘッドを備える。例えば、絵柄の記録に、イエロー、マゼンタ、シアン及びブラックが用いられる場合、記録部２４は、これら各色用のインクジェットヘッドを備える。絵柄の記録には、これら４色とは異なる色のインクを用いるようにしてもよい。例えば、イエロー、マゼンタ及びシアンの淡色系である、ライトイエロー、ライトマゼンタ及びライトシアン及び／又はクリアを用いるようにしてもよい。この場合、記録部２４は、対応した各色用のインクジェットヘッドを備える。利用する色は、絵柄により適宜決定される。各色用のインクジェットヘッドは、各色のインクを貯留したインクタンクにそれぞれ接続されている。各色のインクは、各色用のインクタンクから対応した色のインクジェットヘッドに供給される。
【００２１】
絵柄の記録には、例えば、活性エネルギー硬化型インクが用いられる。活性エネルギー硬化型インクとしては、紫外線硬化型インク又は電子線硬化型インクが例示される。活性エネルギー硬化型インクは、顔料、反応性モノマー及び／又は反応性オリゴマー、光重合開始剤を含み、更に必要に応じて添加剤等を含む。
【００２２】
活性エネルギー硬化型インクが用いられる場合、インクジェット記録装置２０は、照射部２６を備える。照射部２６は、搬送方向において記録部２４の下流側に設けられる。例えば、紫外線硬化型インクが用いられる場合、照射部２６は、紫外線を照射する。電子線硬化型インクが用いられる場合、照射部２６は、電子線を照射する。
【００２３】
記録方法は、搬送工程と、記録工程と、照射工程を含む。搬送工程は、基材１２を搬送方向に搬送する工程であり、記録工程及び照射工程が実行される間、継続して実行される。基材１２は、搬送方向の上流側の所定の位置で搬送部２２に載せ置かれ、搬送方向の下流側に搬送される。その際、基材１２は、記録部２４を通過し、その後、照射部２６を通過する。
【００２４】
記録工程は、基材１２の表面に絵柄を記録する工程である。基材１２が記録部２４の位置に搬送されると、各色用のインクジェットヘッドに形成されたノズルから各色のインクが基材１２の表面に向けて吐出される。各色のインクの吐出は、例えば図１に示す絵柄に対応した画像データに従い制御される。グラデーションの最高明度Ｌ＊となる領域では、インクの吐出は制御されない。換言すれば、グラデーションの最高明度Ｌ＊となる領域では、インクの不吐出が制御される。吐出された各色のインク滴は、基材１２の表面に着弾する。着弾した各色のインク滴により複数のインクドット１４が基材１２の表面に形成される（図２参照）。図３では、絵柄に含まれるグラデーションの明度変化を網点により示している（「基材１２の表面」参照）。
【００２５】
照射工程は、基材１２の表面に活性エネルギー線を照射する工程である。基材１２が記録部２４を通過し、照射部２６に到達すると、照射部２６から基材１２の表面に活性エネルギー線が照射される。例えば、紫外線硬化型インクが用いられる場合、照射部２６から紫外線が照射される。電子線硬化型インクが用いられる場合、照射部２６から電子線が照射される。紫外線又は電子線といった活性エネルギー線の照射に伴い、基材１２の表面のインクドット１４が硬化する。このようにして、インクジェットプリント物１０が製造される。
【００２６】
インクジェット記録装置２０は、シリアル型又はライン型の何れであってもよい。活性エネルギー硬化型インクが用いられない場合、インクジェット記録装置２０は、照射部２６を備えなくてもよい。記録方法では、照射工程が省略される。インクジェット記録装置２０は、公知の記録装置であり、所定の記録媒体に所定の絵柄を記録する際、広く利用されている。そのため、記録方法に関するこの他の説明は、省略する。
【００２７】
＜インクジェットプリント物の評価＞
（１）明度差ΔＬ＊
インクジェットプリント物について、表面に表現された絵柄のグラデーションのＬ＊ａ＊ｂ＊表色系における最高明度Ｌ＊と最低明度Ｌ＊を測定し、明度差ΔＬ＊を求めたので、これについて説明する。測定対象としたサンプル１の表面に表現された絵柄は、図１に示す絵柄とした。最高明度Ｌ＊と最低明度Ｌ＊の測定は、次に記載の「測定条件」にて行った。
【００２８】
（測定条件）
使用測色機：ＣＭ−７００ｄ（コニカミノルタ）
測色モード：ＳＣＩ（正反射光含む）
光源      ：Ｄ６５
視野角    ：１０度視野
上記に基づいた測定により、次に記載の「測定結果１」が得られた。サンプル１において最高明度Ｌ＊は、基材の表面（ベージュ色）の明度である。
【００２９】
（測定結果１）
最高明度Ｌ＊：９２．０６
最低明度Ｌ＊：８１．８３
明度差ΔＬ＊：１０．２３
サンプル１に加え、サンプル１とは別のインクジェットプリント物をサンプル２として、グラデーションの最高明度Ｌ＊と最低明度Ｌ＊を上記の「測定条件」にて測定した。測定対象としたサンプル２の表面に表現された絵柄は、図１とは異なる絵柄（不図示）とした。その結果、次に記載の「測定結果２」が得られた。発明者等は、サンプル２の表面に表現されたグラデーションを含む絵柄についても、図１と同様、好適な立体感を認識した。サンプル２において最高明度Ｌ＊は、サンプル１と同様、基材の表面（ベージュ色）の明度である。
【００３０】
（測定結果２）
最高明度Ｌ＊：９４．３０
最低明度Ｌ＊：８５．７１
明度差ΔＬ＊：  ８．５９
（２）吸湿性及び放湿性
絵柄が表現されていない基材（株式会社ＬＩＸＩＬ製  エコカラット）と、同一の基材の表面に図１に示すグラデーションを含む絵柄が表現されたインクジェットプリント物をそれぞれサンプル３，４として、吸湿量及び放湿率を測定したので、これについて説明する。吸湿量及び放湿率の各測定は、ＪＩＳ  Ａ  １４７０−１：２００２に規定された建築材料の吸放湿性試験方法に準拠し、次の「測定方法」に記載の「手順１」〜「手順３」にて行った。具体的に、吸湿量の測定は、「手順１」及び「手順２」にて行い、放湿率の測定は、「手順１」〜「手順３」にて行った。サンプル３（基材）及びサンプル４（インクジェットプリント物）は、表面のみを測定対象とするため、側面と裏面をアルミテープで覆った状態とした。
【００３１】
（測定方法）
手順１：基材及びインクジェットプリント物を、温度２３℃、湿度５０％の環境で４８時間養生
手順２：手順１の後、基材及びインクジェットプリント物を、温度２３℃、湿度７５％の環境に置き、３時間、６時間、１２時間の各時間経過したときの吸湿量を測定
手順３：手順２の後、基材及びインクジェットプリント物を、温度２３℃、湿度５０％の環境に１２時間置き、１２時間経過したときの放湿率を測定
（測定結果）
上記に基づいた測定により、図４に示す結果が得られた。吸湿量及び放湿率は共に、サンプル３，４で同等であった。即ち、本実施形態のインクジェットプリント物であれば、基材と同等の吸湿性及び放湿性が得られることが確認された。なお、発明者は、多くの検討により、基材とインクジェットプリント物の吸湿量の差（基材の吸湿量−インクジェットプリント物の吸湿量）が４ｇ／ｍ２以下となる吸湿性と、基材とインクジェットプリント物の放湿率の差（基材の放湿率−インクジェットプリント物の放湿率）が５％以下となる放湿性を確保することが、好適な吸放湿性を有するインクジェットプリント物を実現する上で重要であることを知得している。
【００３２】
＜本実施形態の効果＞
本実施形態によれば、次のような効果を得ることができる。
【００３３】
（１）Ｌ＊ａ＊ｂ＊表色系における明度Ｌ＊の最高値と最低値の明度差ΔＬ＊が８〜１２の範囲に設定されたグラデーションを含む絵柄を基材１２の表面に表現したインクジェットプリント物１０とした。そのため、インクジェットプリント物１０の表面に好適な立体感を有する絵柄を表現することができる。
【００３４】
また、絵柄を、基材１２の表面の一部領域に形成した複数のインクドット１４により形成することとした。そのため、インクジェットプリント物１０の表面に基材１２の地肌面が露出したままの領域を確保することが可能となり、吸放湿性を維持することができる。
【００３５】
（２）グラデーションを、基材１２の表面のＬ＊ａ＊ｂ＊表色系における明度Ｌ＊を最高明度Ｌ＊とした構成とした。そのため、基材１２の地肌面を利用してグラデーションを形成し、立体感を有する絵柄を表現することができる。グラデーションにおいて最高明度Ｌ＊となる領域で吸放湿性を維持することができる。
【００３６】
＜変形例＞
本実施形態は、次のようにすることもできる。
【００３７】
（１）上記では、インクジェットプリント物１０の表面を加飾する絵柄及びグラデーションについて、図１に示す状態を例に説明した。絵柄及びグラデーションは、これとは異なるデザインとしてもよい。何れのデザインとするかは、デザイナー及び／又は需用者等の要求に基づき適宜決定される。
【００３８】
（２）上述した本実施形態によれば、次のような建築内装材を特定することもできる。即ち、基材と、前記基材の表面に表現された絵柄を形成し、前記基材の表面の一部領域に形成される複数のインクドットと、を含み、前記複数のインクドットにより前記基材の表面に表現された絵柄は、明度が連続的に変化するグラデーションを含み、前記グラデーションは、Ｌ＊ａ＊ｂ＊表色系における明度Ｌ＊の最高値と最低値との明度差ΔＬ＊が８〜１２の範囲に設定されている、インクジェットプリント物、を特定することもできる。
【００３９】
また、吸放湿性を有する基材と、前記基材の表面に表現された絵柄を形成し、前記基材の表面の一部領域に形成される複数のインクドットと、を含み、前記複数のインクドットにより前記基材の表面に表現された絵柄は、明度が連続的に変化するグラデーションを含む、インクジェットプリント物、を特定することもできる。
【００４０】
これらインクジェットプリント物においても、前記グラデーションは、前記基材の表面のＬ＊ａ＊ｂ＊表色系における明度Ｌ＊を前記最も高い明度Ｌ＊として形成される、ようにしてもよい。
【符号の説明】
【００４１】
１０  インクジェットプリント物
１２  基材
１４  インクドット
２０  インクジェット記録装置
２２  搬送部
２４  記録部
２６  照射部
Ｒ１  領域
【図２】
2014226822.tif 000003
【図３】
2014226822.tif 000004
【図４】
2014226822.tif 000005
【図１】
2014226822.tif 000006